(57)【要約】【課題】掘削孔への挿入性がよく、中心に設置可能なアンカー用スペーサを提供する。【解決手段】アンカー用スペーサ１は弾性鋼板の一体成形からなり、把持部１１と、その軸心方向の一端側にあって外側に膨出する４個の間隔保持片１２と、これら間隔保持片１２の他端側に配置される大径の筒状部１３からなる。把持部１１と筒状部１３は、それぞれ周壁の一部が開放し、両端側が外側に折り返されている。そして、開放部からアンカーに装着すると、各間隔保持片１２は一端側で把持部１１に固定されるが、他端側では筒状部１３がアンカーに対して遊嵌状態であるため、各間隔保持片１２の縮径変形Ｌ１に伴い、筒状部１３と一体になってアンカーの長手方向にＬ２だけ変位する。この際、各間隔保持片１２は、両端部分に切欠部１２ａが形成され、他の部分に対して断面欠損部となっているので、無理なく弾性変形する。【選択図】      図６
2004360316.tif 000002
【特許請求の範囲】
【請求項１】
周壁の一部が軸心方向に沿って開放した略円筒状に形成され、アンカーをその開放部側から内部に受け入れて弾発的に把持する把持部、この把持部の一端側にあって互いに周方向にほぼ等間隔でアンカーの長手方向に沿って延在するとともに径方向外方に膨出し、当該膨出部分の頂部を掘削孔の壁面に弾発的に当接せしめてアンカーと壁面の間を所定の間隔に保持する２個以上の間隔保持片、及びこれら間隔保持片の少なくとも他端側にあって把持部の開放部とほぼ同じ周方向位置で周壁の一部が開放し、アンカーをその開放部側から内部に遊嵌状態で受け入れる筒状部とが一体に形成された弾性板材からなるアンカー用スペーサであって、前記間隔保持片は、頂部を除いた長手方向の少なくとも一部にそれぞれ断面欠損部を備えることを特徴とするアンカー用スペーサ。
【請求項２】
前記断面欠損部が、頂部よりも幅の狭い切欠部であることを特徴とする請求項１に記載のアンカー用スペーサ。
【請求項３】
前記断面欠損部が、各間隔保持片の両端側に設けられていることを特徴とする請求項１または２に記載のアンカー用スペーサ。
【発明の詳細な説明】
【０００１】
【発明の属する技術分野】
本発明は、例えばロックボルト等のアンカーを地盤に設置する場合、掘削した孔に対して、その孔心位置にアンカーを保持するためのアンカー用スペーサに関するものである。
【０００２】
【従来の技術】
従来、ロックボルトやグラウンドアンカーなどの各種アンカーが地盤安定化の手段として多用されている。これらのアンカーは、頭部を残して掘削孔に挿入した状態でその周囲に適宜のグラウト材を充填することにより地盤に定着される。この定着作業においては、それらグラウト材の被り厚を適正に確保することが重要である。このため、アンカーを掘削孔の中心すなわち孔心に位置させる各種形状のスペーサ（センタライザとも称される。）が一般的に使用され、アンカーの挿入部分に対して所定の間隔毎に複数個が装着される。
【０００３】
斯かるスペーサの代表的な従来例としては、下記の特許文献１及び特許文献２に記載のものが知られている。その基本構成は、周壁の一部が分断され径方向の内外に拡縮変形が可能な略円筒状の把持部と、円周方向に互いにほぼ等間隔で設けられ径方向外方に膨出した複数の間隔保持片とからなる。そして、これらスペーサは、アンカーの長手方向の適宜位置にその円筒状部分を嵌合させると、アンカー外周面から放射状に飛び出している複数の間隔保持片がそれぞれ掘削孔の内面に当接することにより、アンカーを掘削孔の中心位置に保持するものである。なお、多くの地盤では、礫や土砂または岩盤等が入り交じり、均一な地質ではない。このため、掘削孔の直進性が低下したり、全長に渡って断面真円とならずに歪な部分が形成されたりする。このような事情から、掘削孔への挿入時に大きな抵抗とならず且つ挿入後においてアンカーを中心位置に保持しなければならない上記スペーサの間隔保持片には、掘削孔の壁面状態に追随可能な適度の弾性変形能力が望まれる。
【０００４】
【特許文献１】
特公昭６４−５３７号公報（第１頁第２欄第１５行−第２頁第４欄第１２行、第１図及び第２図）
【特許文献２】
実公平６−７１２０号公報（第２頁第４欄第３０行−第３頁第５欄第６行、第１図及び第２図）
【０００５】
上記特許文献１に記載のスペーサは、把持部が開放した構成になっているが、その形状からしてアンカー端部からの挿入を前提とするものである。すなわち、図面から明らかなように、開放部における把持部周壁の両側端縁部分が打抜き状態のままであり、特にアンカー外径に対する開放部の幅もかなり狭いので、アンカー側面からの装着は困難である。さらに、アンカー端部からの挿入となるから、長手方向の所定位置まで円滑に移動できるようにするため、両方の把持部の内径はアンカー外径よりも幾分大きく設定されている。したがって、アンカーに対する固定は、スペーサを端部から所定位置までずらした後、各間隔保持片の膨出部分を握り込むなどして把持部の内径を縮め、適宜の結束線で把持部を緊結する必要がある。
【０００６】
このように両端側の把持部が固定されると、各間隔保持片は、これと一体になっている把持部により両端側で拘束されることから、スペーサがバネ鋼板等の弾性材料で形成されていた場合では、その弾性変形能力が大幅に抑制されてしまう。このため、掘削孔への挿入時において、各間隔保持片は孔の楕円状部分などを通過する際に、その孔壁内面の状態に合わせて円滑に弾性変形することができず、大きな抵抗が生じる。したがって、この場合には、挿入性の低下が避けられない。さらに、非装着状態で円周方向に均等配置されている４個の間隔保持片は、装着状態での把持部の縮径に伴い均等配置から外れることになる。しかしながら、各間隔保持片はその両端側で把持部に拘束されるため、その頂部である当接部分が孔壁内面に追随して正対するような周方向への変形ができない。このことは、挿入性の低下や偏心の原因にもつながる。一方、非弾性材料によりスペーサを形成した場合では、直進性あるいは真円性の悪い掘削孔に適用したとき、挿入途中で塑性変形した間隔保持片が元の状態に戻らず、アンカーを孔心に位置させることができないという問題がある。
【０００７】
次に、特許文献２に記載のスペーサは、アンカーに対して側面から装着する点で特許文献１のものとは異なる。この場合、スペーサはバネ鋼板等の弾性材料で形成され、把持部の締付力によりアンカーに固定される。そして、各間隔保持片は、略円筒状の把持部の一端側において径方向外方に向けて膨出している。これらは一体成形であることにより、間隔保持片の基部すなわち把持部に近い部分では、把持部の円筒形状の影響を受けて曲面状に形成されている。このため、このスペーサでは、間隔保持片全体としての弾性変形が抑制され、実質的には自由端側に近い部分のみが変形可能領域となっている。したがって、挿入の際に間隔保持片の先端が掘削孔の内壁面に引っ掛かったり、内壁面を削ることもあり、このスペーサの挿入性は必ずしもよくない。そして、そのような食込みがあった場合には、アンカーを孔心に位置させることができないなど、このスペーサにおいても上記従来例と同様に解決すべき問題が残されている。
【０００８】
【発明が解決しようとする課題】
本発明者は、これら従来技術の問題点について鋭意検討を重ねた結果、本発明に想到したのである。すなわち、本発明では、掘削孔への挿入性が向上するとともに、挿入したときに軸心のずれが生じにくいアンカー用スペーサの提供をその目的とする。
【０００９】
【課題を解決するための手段】
上記課題を解決するため、本発明の請求項１に係るアンカー用スペーサでは、周壁の一部が軸心方向に沿って開放した略円筒状に形成され、アンカーをその開放部側から内部に受け入れて弾発的に把持する把持部、この把持部の一端側にあって互いに周方向にほぼ等間隔でアンカーの長手方向に沿って延在するとともに径方向外方に膨出し、当該膨出部分の頂部を掘削孔の壁面に弾発的に当接せしめてアンカーと壁面の間を所定の間隔に保持する２個以上の間隔保持片、及びこれら間隔保持片の少なくとも他端側にあって把持部の開放部とほぼ同じ周方向位置で周壁の一部が開放し、アンカーをその開放部側から内部に遊嵌状態で受け入れる筒状部とが一体に形成された弾性板材からなり、前記間隔保持片が、頂部を除いた長手方向の少なくとも一部にそれぞれ断面欠損部を備えることを特徴としている。
【００１０】
このような構成によれば、各間隔保持片は一端側において把持部により固定されるが、他端側では筒状部がアンカーに対して遊嵌状態であることから、弾性板材の一体成形からなるその膨出部分の径方向への拡縮変形に伴い、筒状部と一体になってアンカーの長手方向に進退可能になっている。すなわち、複数の間隔保持片の少なくとも１個が、掘削孔内面に突出した岩石等に接触して内方（アンカー側）に押圧されたときには、それらが両端側において略円筒状の把持部と筒状部とにそれぞれ繋がり、その全体的な円筒形状に基づく剛性により個別の間隔保持片の変形が抑制され、全ての間隔保持片が連動してアンカーの長手方向に伸びるような変形をする。本発明では、各間隔保持片に掘削孔内面への当接部となる頂部を除いた長手方向の少なくとも一部にそれぞれ断面欠損部が存在し、当該部位の断面性能が低下している。その結果、上述した把持部と筒状部による拘束力が低減され、各間隔保持片は、本来の弾性変形能力を十分に発揮することができる。したがって、このスペーサを装着したアンカーは、挿入時において各間隔保持片が掘削孔内面の凹凸状態に追随して無理なく弾性変形をするので挿入性が向上するとともに、アンカーを孔心に設置させることが可能になる。
【００１１】
さらに、上記構成における各間隔保持片の断面欠損部として、頂部よりも幅の狭い切欠部とすれば、プレス成形による製造において、各間隔保持片の打抜き工程で同時に形成することができるので好都合である。また、断面欠損部の位置は、各間隔保持片の両端側すなわち把持部と筒状部のそれぞれ近い部位に設けると、より効果的である。
【００１２】
【発明の実施の形態】
本発明に係るアンカー用スペーサは、両端側がそれぞれ把持部と筒状部に繋がるとともに、中間部分が径方向外方に膨出し、その頂部を掘削孔の内壁面に弾発的に当接する２個以上の間隔保持片に、それぞれ断面欠損部を設けた点に技術的な特徴がある。すなわち、各間隔保持片に対して、頂部を除いた長手方向の少なくとも一部にそれぞれ断面欠損部を設け、断面性能の低下した部分を形成する。これにより、剛性の高い略円筒状の把持部ならびに筒状部との一体化構造に基因する各間隔保持片に対する拘束力を低減し、各間隔保持片が本質的に備える弾性変形能力を発揮できるようにした。
【００１３】
ここで、上記断面欠損部としては、掘削孔内面に対する当接部分となる頂部に対して、例えばそれよりも幅の狭い切欠き部分、あるいは幅は同じで肉厚が薄い部分などがこれに該当し、各間隔保持片につき少なくとも１個所あればよい。それら断面欠損部の位置は、把持部ならびに筒状部との境界部付近もしくはこれに近い位置が好ましく、さらに両端側にそれぞれ設けるのが好適である。また、前記切欠きに代えて、頂部から両端側に向けてその幅が漸減するようにしてもよい。これら断面欠損部の形成方法は、例えばバネ鋼板を素材とする場合には、平板の状態で間隔保持片間をプレス成形により櫛歯状に打ち抜く際に、各間隔保持片の把持部側あるいは筒状部側、もしくはその両方について、その幅が狭くなるように同時に切り欠くようにすればよい。前記のように幅を連続的に減少させる場合も同様である。次いで、把持部と筒状部になる各歯の基端側部分を円筒状に丸めながら間隔保持片を外側に膨出させることにより、本発明のスペーサが得られる。なお、筒状部は、少なくとも間隔保持片の他端側にあることが必須要件であるが、さらに把持部と間隔保持片の間にも設けてもよい。
【００１４】
なお、間隔保持片の数は２個以上あれば格段の限定はないが、好ましくは４個である。例えば、間隔保持片が３個の場合には、把持部および筒状部の開放部側端部の近くに１個ずつと、当該開放部側端部に対して軸心を挟む対向位置に残りの１個を配置すればよく、各間隔保持片間はほぼ１２０度になる。また、間隔保持片が２個の場合には、開放部と軸心を結ぶ線に対して直交する対向位置に各１個ずつ配置すればよい。その材質については、削孔径の適用範囲が拡大するなどの理由によりバネ鋼板などの弾性に富む弾性金属板が好適であるが、適度な弾性を備える合成樹脂の使用も可能である。
【００１５】
【実施例】
以下、本発明の実施例について、添付図面を参照しながら詳細に説明する。図１ないし図４は、本発明に係るアンカー用スペーサの第一実施例を示し、それぞれ正面図、左側面図、底面図および右側面図である。図示のアンカー用スペーサ１は、適度な弾性を有する鋼板の一体成形からなり、略円筒状の把持部１１と、その軸心方向の一端側に把持部１１と一体に設けられた４個の間隔保持片１２と、これら間隔保持片１２の他端側に配置される筒状部１３で構成されている。
【００１６】
この把持部１１は、図２，３に示されるとおり、周壁の一部が軸心方向に分断されて開放状態となり、その開放部１４を形成する周壁の両側端部１１ａ，１１ａが外周面側に折り返されている。さらに、開放部１４に対して軸心を挟む対向位置の周壁内面には突起１１ｂが設けられている。この突起１１ｂは、例えば異形棒鋼などのように外周面に節が存在するアンカーに対して、適宜位置でその節に掛合することにより、挿入に伴う長手方向への変位を防止するものである。この突起１１ｂは本発明において必須要件ではなく、設ける場合でも適宜数を把持部１１の適宜場所に設ければよい。なお、図２から明らかなように、本実施例における把持部１１は、周壁全体が同じ曲率ではなく、突起１１ｂ側の円弧部分がその両側部分の円弧よりも大きな曲率で形成され、平らに近いものになっている。これは、適用対象となるアンカー（ロックボルト）の断面形状に合わせたためであり、必ずしもこれに限定されない。
【００１７】
一方、筒状部１３は、図４等に示すように、把持部１１と同様に周壁の一部が軸心方向に沿って開放されるとともに、開放部１５を形成する両側端部１３ａ，１３ａが外周面側に折り返されている。ただし、その内径が適用すべきロックボルトの外径よりも大きく設定されている点が上記把持部１１とは異なる。これは、掘削孔への挿入時において、後述する４個の間隔保持片１２の縮径変形に伴い、筒状部１３がロックボルト上を長手方向へ円滑に変位できるようにするためである。なお、開放部１５の間隔は、把持部１１の開放部１４も含めてロックボルト外径よりも小さく設定される。また、図３等から明らかなように、それら開放部１４，１５の周方向上での位置はほぼ一致している。
【００１８】
そして、４個の間隔保持片１２は、把持部１１と筒状部１３との間にあってその中央部分が最大径となるように円弧状に膨出し、図２，４から明らかなように、周方向においてほぼ９０度間隔で配置されている。この場合、対向位置にある間隔保持片の最大径部（頂部）である中央部分間の間隔は、掘削孔の内径よりも幾分か大きく設定されている。さらに、各間隔保持片１２における長手方向の両端部分、すなわち把持部１１と筒状部１３との境界付近は、それぞれ両側に設けられた円弧状の切欠部１２ａにより他の部分の幅よりも狭く形成され、これら狭幅部分が本発明の技術的特徴である断面欠損部となっている。なお、頂部間の間隔は、掘削孔の内径と同じか、それ以下でもよい。要は、アンカーを掘削孔の中心近くに保持し、必要な被り厚が確保されればよい。
【００１９】
次に、上記アンカー用スペーサ１の使用方法について説明する。図５は、アンカー用スペーサ１が装着されたロックボルトＲ（アンカー）を掘削孔Ｈに設置した状態を示すものである。ここで使用されるロックボルトＲは、ネジ節型の異形棒鋼からなり、その外周面には長手方向に沿って２個の平坦部が軸心を挟む対向位置に形成され、ネジ節がそれら平坦部により分断された形状になっている。装着にあたっては、ロックボルトＲの所定位置において、把持部１１の開放部１４と筒状部１３の開放部１５とをネジ節の列に向けて宛がい、後方から強く押し付ける。これにより、それぞれの両側端部１１ａ，１１ａと両側端部１３ａ，１３ａとが、素材の弾性に抗しながらロックボルトＲの平坦部間の幅以上に開き、さらに押し込むと、開放部１４，１５が平坦部を乗り越え、把持部１１と筒状部１３の内部にロックボルトＲが嵌入する。ここで、把持部１１はロックボルトＲを外周面側から弾発的に把持することになるが、筒状部１３においては、その内径がロックボルトＲの外径よりも大きいことから把持せず、長手方向への変位を妨げないようになっている。ただし、開放部１５の幅が平坦部間の幅よりも狭いため、筒状部１３がロックボルトＲから容易に外れることはない。このようにして、本発明によるアンカー用スペーサ１は、ワンタッチ操作でロックボルトＲに装着することができる。なお、把持部１１による把持力を高めてより確実な外れ防止を図る場合には、例えば両側端部１１ａ，１１ａと両側端部１３ａ，１３ａの折返し部分の裏側に跨って開き止めをするコ字状のクリップの使用、あるいは両側端部１１ａ，１１ａと間隔保持片１２との境界部分に結束線を巻き付けるなど、適宜の補助部材の使用が有効である。
【００２０】
ここで、円弧状に外側へ湾曲した各間隔保持片１２において、アンカー用スペーサ１の軸心からその最大径部分となる中央の頂部までの距離は、掘削孔Ｈの半径よりも少し大きく設定されている。また、スペーサ１は把持部１１側がロックボルトＲの先端側となるように装着される。そして、ロックボルトＲの掘削孔Ｈへの挿入に伴い、まずスペーサ１の各間隔保持片１２が掘削孔Ｈの入り口に当接し、ロックボルトＲに負荷された押圧力によりその前方側の傾斜面が押されると、ロックボルトＲ側に倒れるように変形する。すなわち、中央の頂部が縮径する方向の力を受けることになる。この際、各間隔保持片１２では、次に詳述するように切欠部１２ａの存在により把持部１１と筒状部１３から受ける拘束力が減少し、本来備える弾性変形能力が回復している。さらに、筒状部１３はロックボルトＲに対して適度な隙間を残した状態で包囲していることから、各間隔保持片１２の拡縮変形に連動して筒状部１３側が長手方向に進退可能になっている。したがって、このスペーサ１が装着されたロックボルトＲは、掘削孔Ｈの内面の凹凸に応じて各間隔保持片１２が適宜弾性拡縮変形をすることで、掘削孔Ｈに無理なく挿入され、その中心位置に設置することができる。
【００２１】
図６ないし図９は、上記各間隔保持片１２の拡縮変形のメカニズムを示す説明図であり、図６，７は間隔保持片に断面欠損部が存在する本発明の実施例、図８，９は断面欠損部の無い比較例である。本発明に係るスペーサ１では、各間隔保持片１２が、その両端側において略円筒状の把持部１１と筒状部１３に繋がる一体構造の採用により、個々の自由な弾性変形が少なからず拘束されている。このため、間隔保持片１２のうちのどれか１個でも内方への押圧力を受けると、間隔保持片１２が湾曲状態から偏平状態に変化するに伴い、筒状部１３を後方に押しやる。その際には、筒状部１３に対して他の間隔保持片１２も同じように繋がっているので、それらも連動して同様に縮径変形をする構造になっている。
【００２２】
図６，７に示す本発明のスペーサ１では、各間隔保持片１２の把持部１１と筒状部１３との境界付近に、それぞれ円弧状の切欠部１２ａが各２個ずつ存在している。すなわち、同じ板厚からなる各間隔保持片１２において、切欠部１２ａが存在する両端部分では、頂部等の他の部分よりも幅が狭く、断面性能が低下している。このような断面欠損部分（切欠部１２ａ）の存在により、各間隔保持片１２の自由な変形に対して、把持部１１と筒状部１３がその円筒形状に基づき及ぼしていた拘束力が低減されることになる。したがって、各間隔保持片１２が備える本来の弾性変形能力を十分に発揮できる状態となる。この場合、各間隔保持片１２の少なくともいずれかに対して、外側から軸心に向けた径方向の力を負荷すると、最大径部分に相当する中央の頂部における半径がＬ１だけ減少すると同時に、スペーサ１の全長がＬ２だけ伸びる。これに対して、図８，９に示す同じ板厚・寸法で切欠部のない比較例では、同じ力を負荷したときの変形量はそれぞれＭ１、Ｍ２であり、Ｌ１＞Ｍ１かつＬ２＞Ｍ２の関係となる。すなわち、切欠部１２ａを備える実施例のスペーサ１では、各間隔保持片１２がそれを持たない比較例のものに比べて弾性変形しやすくなっている。
【００２３】
なお、４個の間隔保持片１２が実施例のような配置であった場合、開放部１４，１５に隣接する２個の間隔保持片１２は、開放部１４，１５の存在や把持部１１と筒状部１３が断面楕円状であることにより、プレス成形したときにそれぞれ対向位置に配置された他の間隔保持片１２に対して正対位置からずれやすい。すなわち、対向位置にある各間隔保持片１２の頂部においては、それらの面と面とが平行関係から外れることになる。このような場合でも、断面欠損部分（切欠部１２ａ）を設けたことにより、間隔保持片１２を適宜捻じるなどして正対位置に容易に調整することができる。
【００２４】
図１０ないし図１６は、それぞれ本発明に係るアンカー用スペーサの異なる実施例である。なお、前記実施例と同一部分については、重複する説明を省略する。図１０に示すスペーサ２は、把持部２１と筒状部２３の間に４個の間隔保持片２２が配置される点は前記実施例と共通するが、断面欠損部の形状が異なる。すなわち、これらの間隔保持片２２は、最大径部分として中央に位置する所定長さの頂部２２ａに対して、両端側部分２２ｂがそれぞれ把持部２１と筒状部２３に近づくにつれて幅が狭くなるテーパ状に形成され、このテーパ状の狭幅部分が断面欠損部に相当するものである。
【００２５】
図１１に示すスペーサ３では、各間隔保持片３２の中央（頂部）の幅が最も広く、両端に位置する把持部３１と筒状部３３に向けてそれぞれ円弧状に幅が狭くなっている。この場合には、明確に区分されるものではないが、両端側部分が断面欠損部となる。その他の部分については、前記各実施例と同様である。
【００２６】
図１２に示すスペーサ４は、長手方向に同じ幅の間隔保持片４２の一部に切欠部４２ａを有する点で前記第一実施例のスペーサ１に近いものである。この場合、切欠部４２ａは把持部４１と筒状部４３の周縁部分も含めて切り欠くように形成されている。
【００２７】
図１３に示すスペーサ５における間隔保持片５２は、所定長さの頂部５２ａに対して、それぞれ把持部５１と筒状部５３に続く両端側部分５２ｂが、一定幅で狭く形成され、これが断面欠損部になっている。
【００２８】
図１４に示すスペーサ６は、前記第一実施例のスペーサ１に近いものであるが、各間隔保持片６２における断面欠損部としての切欠部の位置が異なっている。この場合、所定長さの頂部６２ａに近い位置に切欠部６２ｂが設けられ、把持部６１と筒状部６３との境界部分は他の部分と同じ幅に形成されている。
【００２９】
図１５は、断面欠損部の形成方法が前記各実施例とは異なるスペーサの要部を示している。すなわち、図示のスペーサ７では、各間隔保持片７２の幅は長手方向の全長において同じであるが、把持部７１と筒状部（図示せず）の境界付近に薄肉部７２ａが形成されている。この薄肉部７２ａの存在により、断面性能が低下し、把持部７１等による各間隔保持片７２に対する拘束力を低減している。なお、薄肉部７２ａは各間隔保持片７２の表側でもよい。
【００３０】
図１６に示すスペーサ８は、前記各実施例とは異なり、筒状部８３，８４を各間隔保持片８２の両側に設けたものである。すなわち、このうちの一方の筒状部８３がスリット８５を挟んで把持部８１に連接されている。なお、スリット８５は円周の大半を占め、把持部８１と筒状部８３とは円周の一部で繋がっている。そして、各間隔保持片８２は前記第一実施例のスペーサ１と同様に筒状部８３，８４との境界付近に切欠部８２ａが形成され、これらが断面欠損部となっている。斯かる構成では、把持部８１がアンカー径の大小に応じて拡大変形をしても、その影響は各間隔保持片８２にはほとんど至らない。
【００３１】
なお、上記各実施例では、断面欠損部を各間隔保持片の両側に設けた事例について説明したが、片側のみでもよく、また間隔保持片の数を変更することはもちろん可能であり、さらに把持部を楕円状や真円状にするなど、この発明の技術思想内での種々の変更実施はもちろん可能である。
【００３２】
【発明の効果】
以上説明したように、本発明に係るアンカー用スペーサでは、両端側に把持部と筒状部を備え、径方向外方に膨出してその頂部を掘削孔の壁面に弾発的に当接せしめてアンカーと壁面の間を所定の間隔に保持する間隔保持片に、それぞれ断面欠損部を設け、剛性の高い略円筒状の把持部ならびに筒状部が各間隔保持片に及ぼす拘束力を低減し、各間隔保持片が本質的に備える弾性変形能力を発揮できるようにした。これにより、掘削孔へのアンカーの挿入が容易になり、アンカーを確実に掘削孔の中心位置に設置することができるなど、本発明の実用上の効果はきわめて大である。
【図面の簡単な説明】
【図１】本発明によるアンカー用スペーサの一例を示す正面図である。
【図２】上記アンカー用スペーサの左側面図である。
【図３】上記アンカー用スペーサの底面図である。
【図４】上記アンカー用スペーサの右側面図である。
【図５】上記アンカー用スペーサの使用状態を示す側面図である。
【図６】上記アンカー用スペーサにおいて、間隔保持片の拡縮変形のメカニズムを示す説明図である。
【図７】図６の左側面図である。
【図８】比較例のアンカー用スペーサにおいて、間隔保持片の拡縮変形のメカニズムを示す説明図である。
【図９】図８の左側面図である。
【図１０】本発明によるアンカー用スペーサの他の例を示す正面図である。
【図１１】本発明によるアンカー用スペーサの他の例を示す正面図である。
【図１２】本発明によるアンカー用スペーサの他の例を示す正面図である。
【図１３】本発明によるアンカー用スペーサの他の例を示す正面図である。
【図１４】本発明によるアンカー用スペーサの他の例を示す正面図である。
【図１５】本発明によるアンカー用スペーサの他の例において、その要部を示す説明図である。
【図１６】本発明によるアンカー用スペーサの他の例を示す正面図である。
【符号の説明】
１，２，３，４，５，６，７，８…アンカー用スペーサ、１１，２１，３１，４１，５１，６１，７１，８１…把持部、１２，２２，３２，４２，５２，６２，７２，８２…間隔保持片、１２ａ，４２ａ，６２ｂ，８２ａ…切欠部、１３，２３，３３，４３，５３，６３，８３，８４…筒状部、１４，１５…開放部、２２ａ，５２ａ，６２ａ…頂部、Ｒ…ロックボルト
【図１】
2004360316.tif 000003
【図２】
2004360316.tif 000004
【図３】
2004360316.tif 000005
【図４】
2004360316.tif 000006
【図５】
2004360316.tif 000007
【図６】
2004360316.tif 000008
【図７】
2004360316.tif 000009
【図８】
2004360316.tif 000010
【図９】
2004360316.tif 000011
【図１０】
2004360316.tif 000012
【図１１】
2004360316.tif 000013
【図１２】
2004360316.tif 000014
【図１３】
2004360316.tif 000015
【図１４】
2004360316.tif 000016
【図１５】
2004360316.tif 000017
【図１６】
2004360316.tif 000018